(57)【要約】【課題】被印字物を上方に持ち上げても、下方に引っ張っても切断することができる印字装置を提供することにある。【解決手段】印字装置５０では、レシート用紙Ｒの表面側と対峙する位置に固定的に配置される第１カッター刃７１と、レシート用紙Ｒの裏面側と対峙する位置に固定的に配置される第２カッター刃７２とを備えている。その結果、レシート用紙Ｒを表面側および裏面側いずれの方向に引っ張ってもその方向にカッター刃が存在するので、レシート用紙Ｒが切断できずに破れるという事態を防止することができる。【選択図】図３
2014145726.tif 000002
【特許請求の範囲】
【請求項１】
被印字物を発行する印字装置であって、
前記被印字物の表面側と対峙する位置に固定的に配置される第１カッター刃と、
前記被印字物の裏面側と対峙する位置に固定的に配置される第２カッター刃と、
を備える、
印字装置。
【請求項２】
被印字物に印字する印字部をさらに備え、
前記印字部の出口から前記第１カッター刃および前記第２カッター刃それぞれまでの距離が等距離である、
請求項１に記載の印字装置。
【請求項３】
前記被印字物が、前記裏面側に糊層を有するラベルであって、
前記第２カッター刃に非粘着コーティングが施されている、
請求項１に記載の印字装置。
【発明の詳細な説明】
【技術分野】
【０００１】
本発明は、印字装置に関する。
【背景技術】
【０００２】
例えば、特許文献１（特開２００３−０２８７０４号公報）に開示されているような、ラベルやレシートといった被印字物を手動で引っ張って切断する印字装置において、使用者が被印字物を上下どちらの方向に引っ張るのかは、使用者の慣れ、或いは経験則によって異なる。それゆえ、カッター刃が付いていない方向に引っ張ったことにより、被印字物が破れるという事態が想定される。
【発明の概要】
【発明が解決しようとする課題】
【０００３】
本発明の課題は、被印字物を上方に持ち上げても、下方に引っ張っても切断することができる印字装置を提供することにある。
【課題を解決するための手段】
【０００４】
本発明の第１観点に係る印字装置は、被印字物を発行する印字装置であって、被印字物の表面側と対峙する位置に固定的に配置される第１カッター刃と、被印字物の裏面側と対峙する位置に固定的に配置される第２カッター刃とを備えている。
【０００５】
この印字装置では、被印字物を表面側および裏面側いずれの方向に引っ張ってもその方向にカッター刃が存在するので、被印字物が切断できずに破れるという事態を防止することができる。
【０００６】
本発明の第２観点に係る印字装置は、第１観点に係る印字装置であって、被印字物に印字する印字部をさらに備えている。印字部の出口から第１カッター刃および第２カッター刃それぞれまでの距離が等距離である。
【０００７】
印字部の出口から第１カッター刃および第２カッター刃それぞれまでの距離が等しくない場合、被印字物を切断後に次の被印字物が繰り出されたとき、被印字物の端から印字領域までの余白が、使用したカッター刃によって異なることになる。
【０００８】
この印字装置では、印字部の出口から第１カッター刃および第２カッター刃それぞれまでの距離が等距離であるので、被印字物の上下の余白幅が一定になり、無駄な余白を解消することができる上に、見栄えもよい。
【０００９】
本発明の第３観点に係る印字装置は、第１観点に係る印字装置であって、被印字物が、裏面側に糊層を有するラベルであって、第２カッター刃に非粘着コーティングが施されている。
【００１０】
ラベルを糊層のある裏面側から切断した場合、切断後に未印字ラベルの端が第２カッター刃に付着して離れず、次に印字されて繰り出されたときにラベルが筒状に巻かれてしまう。
【００１１】
この印字装置では、第２カッター刃に非粘着コーティングが施されているので、ラベルの裏面側が第２カッター刃に付着する事態を防止することができる。
【発明の効果】
【００１２】
本発明に係る印字装置では、被印字物を表面側および裏面側いずれの方向に引っ張ってもその方向にカッター刃が存在するので、被印字物が切断できずに破れるという事態を防止することができる。
【図面の簡単な説明】
【００１３】
【図１Ａ】本発明の一実施形態に係る印字装置を搭載した計量機の操作部側から視た斜視図。
【図１Ｂ】本発明の一実施形態に係る印字装置を搭載した計量機のお客様側液晶表示部側から視た斜視図。
【図２】計量機の制御ブロック図。
【図３】印字装置の断面図。
【図４】印字装置の排出口周辺の拡大斜視図
【図５Ａ】第１切断条件下の前回および今回におけるレシート用紙Ｒ周辺の側面図。
【図５Ｂ】第２切断条件下の前回および今回におけるレシート用紙Ｒ周辺の側面図。
【図５Ｃ】第３切断条件下の前回および今回におけるレシート用紙Ｒ周辺の側面図。
【図５Ｄ】第４切断条件下の前回および今回におけるレシート用紙Ｒ周辺の側面図。
【図６Ａ】戻り搬送距離が一定の場合の第１切断条件で切断されたレシート用紙Ｒの平面図。
【図６Ｂ】戻り搬送距離が一定の場合の第２切断条件で切断されたレシート用紙Ｒの平面図。
【図６Ｃ】戻り搬送距離が一定の場合の第３切断条件で切断されたレシート用紙Ｒの平面図。
【図６Ｄ】戻り搬送距離が一定の場合の第４切断条件で切断されたレシート用紙Ｒの平面図。
【図７Ａ】印字装置の制御内容を示す制御フローのメインルーチンのチャート。
【図７Ｂ】印字装置の制御内容を示す制御フローのサブルーチンのチャート。
【図８】第２実施形態に係る印字装置の断面図。
【図９】印字装置の排出口周辺の拡大斜視図
【図１０Ａ】第１切断条件下の前回および今回におけるレシート用紙Ｒ周辺の側面図。
【図１０Ｂ】第２切断条件下の前回および今回におけるレシート用紙Ｒ周辺の側面図。
【図１０Ｃ】第３切断条件下の前回および今回におけるレシート用紙Ｒ周辺の側面図。
【図１０Ｄ】第４切断条件下の前回および今回におけるレシート用紙Ｒ周辺の側面図。
【図１１Ａ】戻り搬送距離が一定の場合の第１切断条件で切断されたレシート用紙Ｒの平面図。
【図１１Ｂ】戻り搬送距離が一定の場合の第２切断条件で切断されたレシート用紙Ｒの平面図。
【図１１Ｃ】戻り搬送距離が一定の場合の第３切断条件で切断されたレシート用紙Ｒの平面図。
【図１１Ｄ】戻り搬送距離が一定の場合の第４切断条件で切断されたレシート用紙Ｒの平面図。
【図１２Ａ】第１カッター刃で切断された直後のレシート用紙Ｒの周辺の側面図。
【図１２Ｂ】印字に先立ち距離ＤＣ１だけ戻り方向に搬送されたレシート用紙Ｒの周辺の側面図。
【図１２Ｃ】印字が行われ印字領域の分だけ搬送されたときのレシート用紙Ｒの周辺の側面図。
【図１２Ｄ】距離ＤＣ２だけ正方向に搬送されたレシート用紙Ｒの周辺の側面図。
【図１３Ａ】第２カッター刃で切断された直後のレシート用紙Ｒの周辺の側面図。
【図１３Ｂ】印字に先立ち距離ＤＣ１だけ戻り方向に搬送されたレシート用紙Ｒの周辺の側面図。
【図１３Ｃ】印字が行われ印字領域の分だけ搬送されたときのレシート用紙Ｒの周辺の側面図。
【図１３Ｄ】距離ＤＣ２だけ正方向に搬送されたレシート用紙Ｒの周辺の側面図。
【発明を実施するための形態】
【００１４】
以下、図面を参照しながら、本発明の実施形態について説明する。なお、以下の実施形態は、本発明の具体例であって、本発明の技術的範囲を限定するものではない。
【００１５】
＜第１実施形態＞
（１）計量機１０の構成
図１Ａは、本発明の第１実施形態に係る印字装置５０を搭載した計量機１０の操作部側から視た斜視図である。図１Ｂは、本発明の第１実施形態に係る印字装置５０を搭載した計量機１０のお客様側液晶表示部側から視た斜視図である。
【００１６】
図１Ａ及び図１Ｂにおいて、計量機１０は、本体ケーシング２１、計量部２３、操作部２５、お客様側液晶表示部２７、印字装置５０、及び制御部４０（図２参照）を備えている。
【００１７】
計量部２３は本体ケーシング２１の上面に配置され、操作部２５は本体ケーシング２１の前面に設けられている。お客様側液晶表示部２７は、本体ケーシング２１を挟んで操作部２５の反対側に配置されている。
【００１８】
また、印字装置５０は、操作部２５を正面から視て本体ケーシング２１の右側に配置されている。印字装置５０には、印刷済みのラベルまたはレシートが排出される排出口５０ａが設けられている。排出口５０ａの内部には、ラベル用紙あるいはレシート用紙が収納されており、これらラベル用紙あるいはレシート用紙は搬送経路上を搬送され、印字機構によって印字が行われた後に、排出口５０ａから排出される。
【００１９】
図２は、計量機１０の制御ブロック図である。図２において、制御部４０は、ＣＰＵ４１とメモリ４３とを搭載しており、本体ケーシング２１若しくは操作部２５の内部に配置される。本実施形態では、制御部４０は、操作部２５の内部に配置され、計量部２３、操作部２５、お客様側液晶表示部２７、印字装置５０、及び音声発生部８１と信号の送受信ができるように接続されている。
【００２０】
（２）印字装置５０の構成
図３は、印字装置５０の断面図である。また、図４は、印字装置５０の排出口５０ａ周辺の拡大斜視図である。図３及び図４において、印字装置５０は、印字機構５１、用紙検知センサ６１、第１カッター刃７１および第２カッター刃７２を備えている。
【００２１】
図３において、レシート用紙Ｒは、収納部（図示せず）においてはロール状に収納されており、その収容部から搬送経路５０ｂを経て排出口５０ａに導かれる。
【００２２】
（２−１）印字機構５１
印字機構５１は、その搬送経路５０ｂの途中に配置されている。印字機構５１は、サーマルヘッド５３と、プラテンローラ５５と、放熱板５７と、ヘッド押付バネ５９とを有している。
【００２３】
サーマルヘッド５３は、基板上に多数の発熱素子が配列されることによって構成されており、レシート用紙Ｒに接触した状態で熱を加えて印刷する。プラテンローラ５５は、サーマルヘッド５３との間にレシート用紙Ｒを挟んで搬送する。プラテンローラ５５は、ステッピングモータ５５ａからベルト（図示せず）を介して駆動力が伝達され回転する。
【００２４】
放熱板５７は、サーマルヘッド５３の熱を逃がす。ヘッド押付バネ５９は、サーマルヘッド５３をプラテンローラ５５に向けて押し付けている。
【００２５】
制御部４０は、レシートＲの発行に先立ってプラテンローラ５５を介してレシート用紙Ｒを戻り方向に必要距離だけ搬送し、サーマルヘッド５３を介してレシート用紙Ｒに必要事項を印字した後、再び、プラテンローラ５５を介してレシート用紙Ｒを正方向に所定距離だけ搬送する。
【００２６】
（２−２）用紙検知センサ６１
用紙検知センサ６１は、レシート用紙Ｒの終端部を検知するセンサである。そのため、用紙検知センサ６１は、レシート用紙Ｒの搬送経路５０ｂのうち、印字機構５１より下流側に存在する空間で、且つ排出口５０ａより上方の空間に配置される。具体的には、印字装置５０の本体内で、排出口５０ａを通る水平面と、第２カッター刃７２の刃先を通る水平面との間の空間に配置されている。
【００２７】
用紙検知センサ６１は、反射式赤外線センサである。もちろん、用紙検知センサ６１は反射式赤外線センサに限定されるものではなく、発行素子と受光素子とを組み合わせた透過式赤外線センサが選択されてもよい。
【００２８】
図３に示すように、レシート用紙Ｒは排出口５０ａから斜め上方向に排出されるので、排出されたレシート用紙Ｒは排出口５０ａと第２カッター刃７２との隙間に留まり、用紙検知センサ６１の前方を遮ることになる。用紙検知センサ６１は、その前方の隙間が遮られていないときはＬｏ信号を制御部４０に発信し、その隙間が遮られているときはＨｉ信号を制御部４０に発信する。
【００２９】
仮に、前回に発行したレシート用紙Ｒが切断されなかった場合、制御部４０がレシート用紙Ｒを戻り方向に必要距離だけ搬送する前も、搬送した後も用紙検知センサ６１が用紙検知センサ６１の前方を遮っているので、用紙検知センサ６１のからの信号はＨｉ信号のままである。したがって、そのような場合、制御部４０はレシート用紙Ｒを正方向に上記所定距離だけ搬送することによって、切断されなかったレシート用紙Ｒの切断を促す。
【００３０】
（２−３）第１カッター刃７１及び第２カッター刃７２
図４に示すように、第１カッター刃７１及び第２カッター刃７２は、排出口５０ａの近傍に配置されている。第１カッター刃７１は、排出口５０ａの前方かつ下方に位置している。第２カッター刃７２は、排出口５０ａの前方かつ上方に位置している。第１カッター刃７１及び第２カッター刃７２は、刃先が鋸歯状に成形されている。
【００３１】
印字装置５０の使用者がレシート用紙Ｒを上下どちらの方向に引っ張るのかは、使用者の慣れ、或いは経験則によって異なるが、この構成によって、レシート用紙Ｒは上下どちらの方向に引っ張られても切断される。
【００３２】
また、裏面側に糊層を有するラベルを用紙として用いる場合には、ラベルを糊層のある裏面側から切断した場合、糊が第２カッター刃７２に付着して離れず、次に印字されて繰り出されたラベルの先端が第２カッター刃７２の刃先に付着し、後続部分が筒状に巻かれてしまう。それゆえ、本実施形態では、第２カッター刃７２に非粘着コーティングが施されており、ラベルの裏面側が第２カッター刃７２に付着する事態を防止することができる。
【００３３】
また、第２カッター刃７２に切断後のラベルやレシート用紙Ｒの先端が付着したままの状態になっても、ラベルやレシート用紙Ｒの発行に先立ってラベルやレシート用紙Ｒが戻り方向に必要距離だけ搬送されるので、付着は解消される。
【００３４】
（３）動作
印字装置５０では、印字する前にレシート用紙Ｒを必要距離だけ戻り方向に搬送させてレシート用紙先端をサーマルヘッド５３の近傍まで戻す動作が行なわれる。ここで、必要距離とは、少なくとも前回の切断が第１カッター刃７１によって行われ、次回の切断も第１カッター刃７１で行われることを想定して、第１カッター刃７１からサーマルヘッド５３までの距離が妥当な距離である。
【００３５】
そして、レシート用紙Ｒの切断条件は、前回および今回とも第１カッター刃７１で切断されるという第１切断条件、前回および今回とも第２カッター刃７２で切断されるという第２切断条件、前回が第１カッター刃７１で切断され、今回が第２カッター刃７２で切断されるという第３切断条件、及び、前回が第２カッター刃７２で切断され、今回が第１カッター刃７１で切断されるという第４切断条件が想定される。
【００３６】
図５Ａは、第１切断条件下の前回および今回におけるレシート用紙Ｒ周辺の側面図である。図５Ｂは、第２切断条件下の前回および今回におけるレシート用紙Ｒ周辺の側面図である。図５Ｃは、第３切断条件下の前回および今回におけるレシート用紙Ｒ周辺の側面図である。図５Ｄは、第４切断条件下の前回および今回におけるレシート用紙Ｒ周辺の側面図である。
【００３７】
図６Ａは、戻り搬送距離が一定の場合の第１切断条件で切断されたレシート用紙Ｒの平面図である。図６Ｂは、戻り搬送距離が一定の場合の第２切断条件で切断されたレシート用紙Ｒの平面図である。図６Ｃは、戻り搬送距離が一定の場合の第３切断条件で切断されたレシート用紙Ｒの平面図である。図６Ｄは、戻り搬送距離が一定の場合の第４切断条件で切断されたレシート用紙Ｒの平面図である。
【００３８】
図５Ａ〜図５Ｄ、及び図６Ａ〜図６Ｄに示すように、レシート紙Ｒは上方に持ち上げられたときは第２カッター刃７２で切断され、レシート紙Ｒが下方に引っ張られたときは第１カッター刃７１で切断される。
【００３９】
なお、図５Ａ〜図５Ｄ、及び図６Ａ〜図６Ｄに示すように、レシート用紙Ｒが第１カッター刃７１及び第２カッター刃７２のどちらで切断されたかによって切断されたレシート用紙Ｒの前端および／または後端に余白が有るものや無いものが見られるが、この点については、その解消策を採用した例を第２実施形態で説明する。
【００４０】
（４）制御フロー
（４−１）前回排出されたレシート用紙Ｒが切断されている場合
次に、上記動作を制御の観点から、制御フローチャートを用いて説明する。
【００４１】
図７Ａは、印字装置５０の制御内容を示す制御フローのメインルーチンのチャートである。便宜上、計量機１０において、販売員の操作によって商品販売の決済が終了した以降から説明する。
【００４２】
先ず、制御部４０は、ステップＳ１において、商品販売の決済が終了したか否かを判定し、その決済が終了していると判定したときはステップＳ２に進み、その決済が終了していないと判定したときは、引き続き、商品販売の決済が終了したか否かを判定するための監視を行う。
【００４３】
次に、制御部４０は、ステップＳ２において、用紙検知センサ６１からの信号を記憶し、ステップＳ３に進む。
【００４４】
次に、制御部４０は、ステップＳ３において、レシート用紙Ｒを必要距離だけ戻り方向に搬送する。
【００４５】
次に、制御部４０は、ステップＳ４において、レシート用紙Ｒを必要距離戻す動作の前後で用紙検知センサ６１からの信号がＨｉ信号からＨｉ信号のままで変化しなかったか否かを判定し、Ｈｉ信号のままで変化しなかったと判定したときはＡルーチンへ進み、それ以外と判定したときはステップＳ５に進む。ここで、レシート用紙Ｒを必要距離戻す動作の前後で用紙検知センサ６１からの信号がＨｉ信号からＨｉ信号のままで変化しなかったか場合は、前回排出されたレシート用紙Ｒが切断されていないと判断している。
【００４６】
次に、制御部４０は、ステップＳ５において、その商品販売に関する印字データを生成し、ステップＳ５へ進む。
【００４７】
次に、制御部４０は、ステップＳ６において、印字データに基づいて、サーマルヘッド５３を介してレシート用紙Ｒの表面に印字する。
【００４８】
次に、制御部４０は、ステップＳ７において、プラテンローラ５５を回転させ、レシート用紙Ｒの印字済みの領域を排出口５０ａから外部へ排出する。
【００４９】
次に、制御部４０は、ステップＳ８において、お客様用液晶表示部２７に「レシートをお取りください」などの、レシート取り忘れ防止用のメッセージを表示又は点滅表示する。なお、制御部４０は、そのメッセージとともに、音声発生部８１を介して「レシートをお取りください」などの音声メッセージを流してもよい。
【００５０】
（４−２）前回排出されたレシート用紙Ｒが切断されていない場合
図７Ｂは、印字装置５０の制御内容を示す制御フローのサブルーチンのチャートである。ここからは、制御部４０がステップＳ４においてレシート用紙Ｒを必要距離戻す動作の前後で用紙検知センサ６１からの信号がＨｉ信号からＨｉ信号のままで変化しなかったと判定してサブルーチンＡへ進んだ後の制御について説明する。
【００５１】
制御部４０は、ステップＳ４１において、レシート用紙Ｒを所定距離だけ正方向に搬送する。
【００５２】
次に、制御部４０は、ステップＳ４２において、音声メッセージ或いはお客様用液晶表示部２７を介して前回発行したレシート用紙Ｒの切断を促す。
【００５３】
次に、制御部４０は、ステップＳ４３において、レシート用紙Ｒを必要距離だけ戻り方向に搬送する。
【００５４】
次に、制御部４０は、ステップＳ４４において、レシート用紙Ｒを必要距離戻す動作の前後で用紙検知センサ６１からの信号がＨｉ信号からＨｉ信号のままで変化しなかったか否かを判定し、Ｈｉ信号のままで変化しなかったと判定したときはステップＳ４５へ進み、それ以外と判定したときはメインルーチンのステップＳ５に戻る。
【００５５】
制御部４０は、ステップＳ４５において、前回のレシート用紙Ｒの切断は無理と判断し、メインルーチンのステップＳ５に戻る。なお、ステップＳ４５は、別の処理に置き換えられてもよい。例えば、制御部４０は、オペレータによるリセット操作を待って、リセット信号が入力されたか否かを判定して、リセット信号が入ったときにメインルーチンのステップＳ５へ戻ってもよい。
【００５６】
（５）特徴
（５−１）
印字装置５０では、レシート用紙Ｒの表面側と対峙する位置に固定的に配置される第１カッター刃７１と、レシート用紙Ｒの裏面側と対峙する位置に固定的に配置される第２カッター刃７２とを備えている。その結果、レシート用紙Ｒを表面側および裏面側いずれの方向に引っ張ってもその方向にカッター刃が存在するので、レシート用紙Ｒが切断できずに破れるという事態を防止することができる。
【００５７】
（５−２）
印字装置では、第２カッター刃７２に非粘着コーティングが施されているので、用紙Ｒの裏面側に糊層があっても第２カッター刃に付着する事態を防止することができる。
【００５８】
＜第２実施形態＞
第１実施形態では、排出口５０ａから第１カッター刃７１および第２カッター刃７２それぞれまでの距離が異なり、且つ、戻り方向の搬送距離が一定であるので、どちらのカッター刃を使用したかによってレシート用紙Ｒの余白が前後両端にあるもの、前後いずれかの端部にあるもの、および余白がないものという形態のいずれかで発行される。
【００５９】
具体的には、図５Ａに示す第１切断条件で切断されたレシート用紙Ｒは、図６Ａに示すようにレシート用紙Ｒの余白が後端に存在する。また、図５Ｂに示す第２切断条件で切断されたレシート用紙Ｒは、図６Ｂに示すようにレシート用紙Ｒの余白が前端に存在する。また、図５Ｃに示す第３切断条件で切断されたレシート用紙Ｒは、図６Ｃに示すようにレシート用紙Ｒの余白が前後両端ともに存在しない。また、図５Ｄに示す第４切断条件で切断されたレシート用紙Ｒは、図６Ｄに示すようにレシート用紙Ｒの余白が前後両端ともに存在する。なお、余白のでき方が各切断条件によって異なる理由については、本書末段の［（３）補足事項］を参照されたし。
【００６０】
上記のような余白が一定でないレシート用紙Ｒの発行は、レシート用紙の無駄な消費に繋がりかねない。そこで、第２実施形態では、第１カッター刃７１および第２カッター刃７２どちらのカッター刃を使用しても、レシート用紙Ｒの余白が一定となるようにし、レシート用紙Ｒの端から印字領域までの余白を低減し、ラベルの使用量の削減を図る。
【００６１】
（１）印字装置５０の構成
図８は、第２実施形態に係る印字装置５０の断面図である。また、図９は、印字装置５０の排出口５０ａ周辺の拡大斜視図である。図８及び図９において、印字装置５０は、印字機構５１、用紙検知センサ６１、第１カッター刃７１および第２カッター刃７２を備えている。
【００６２】
なお、第１実施形態と第２実施形態とは、第１カッター刃７１が異なるだけであるので、ここでは、第１カッター刃７１の構成とその効果だけを説明する。
【００６３】
図８及び図９に示すように、第１カッター刃７１は、排出口５０ａの水平方向の前方に位置しており、刃先は鋸歯状に成形されている。また、図８に示すように、第１カッター刃７１及び第２カッター刃７２それぞれの刃先は、排出口５０ａの中心を中心とする円周上にある。つまり、排出口５０ａから第１カッター刃７１の刃先および第２カッター刃の刃先それぞれまでの距離が同じである。したがって、レシート用紙Ｒは上下どちらの方向に引っ張っても切断され、切断後の余白は第１カッター刃７１及び第２カッター刃７２のどちらを使用しても同じである。
【００６４】
次に、上記のような構成による効果を、図１０Ａ〜図１０Ｄ、及び図１１Ａ〜図１１Ｄを用いて説明する。なお、レシート用紙Ｒの切断条件は、第１実施形態と同様で、前回および今回とも第１カッター刃７１で切断されるという第１切断条件、前回および今回とも第２カッター刃７２で切断されるという第２切断条件、前回が第１カッター刃７１で切断され、今回が第２カッター刃７２で切断されるという第３切断条件、及び、前回が第２カッター刃７２で切断され、今回が第１カッター刃７１で切断されるという第４切断条件が想定される。
【００６５】
図１０Ａは、第１切断条件下の前回および今回におけるレシート用紙Ｒ周辺の側面図である。図１０Ｂは、第２切断条件下の前回および今回におけるレシート用紙Ｒ周辺の側面図である。図１０Ｃは、第３切断条件下の前回および今回におけるレシート用紙Ｒ周辺の側面図である。図１０Ｄは、第４切断条件下の前回および今回におけるレシート用紙Ｒ周辺の側面図である。
【００６６】
図１１Ａは、戻り搬送距離が一定の場合の第１切断条件で切断されたレシート用紙Ｒの平面図である。図１１Ｂは、戻り搬送距離が一定の場合の第２切断条件で切断されたレシート用紙Ｒの平面図である。図１１Ｃは、戻り搬送距離が一定の場合の第３切断条件で切断されたレシート用紙Ｒの平面図である。図１１Ｄは、戻り搬送距離が一定の場合の第４切断条件で切断されたレシート用紙Ｒの平面図である。
【００６７】
なお、図１１Ａ〜図１１Ｂの印字領域の前端および／または後端に描かれている点線で囲まれた空白部分は第１実施形態で余白として残っていた部分である。
【００６８】
図１０Ａに示す第１切断条件で切断されたレシート用紙Ｒについては、第１実施形態では後端に余白があった（図６Ａ参照）が、第２実施形態においては図１１Ａに示すように余白はなくなっている。また、図１０Ｂに示す第２切断条件で切断されたレシート用紙Ｒについては、第１実施形態では前端に余白があった（図６Ｂ参照）が、第２実施形態においては図１１Ｂに示すように余白はなくなっている。また、図１０Ｃに示す第３切断条件で切断されたレシート用紙Ｒについては、第１実施形態でも余白はなかった（図６Ｃ参照）が、第２実施形態においても図１１Ｃに示すように余白がない。また、図１０Ｄに示す第４切断条件で切断されたレシート用紙Ｒについては、第１実施形態では前後両端に余白があった（図６Ｄ参照）が、第２実施形態においては図１１Ｄに示すように前後両端ともに余白がなくなっている。つまり、不要な余白の削減が成されている。
【００６９】
（２）特徴
印字装置５０では、排出口５０ａから第１カッター刃７１および第２カッター刃７２それぞれまでの距離が等距離であるので、レシート用紙Ｒの上下の余白幅が一定になり、無駄な余白を解消することができる上に、見栄えもよい。
【００７０】
（３）補足事項：レシート用紙Ｒの余白の形態が複数ある原因
本実施形態では排出口５０ａから第１カッター刃７１および第２カッター刃７２それぞれまでの距離が異なるので、どちらのカッター刃を使用したかによってレシート用紙Ｒの余白が前後両端にあるもの、前後いずれかの端部にあるもの、および余白がないものという形態のいずれかで発行されている。
【００７１】
このように余白の有無が切断条件によって異なる要因は、印字に先立ちレシート用紙Ｒを戻り方向に搬送する距離と、印字後にレシート用紙Ｒを正方向に搬送する距離とが異なることに起因する。
【００７２】
図１２Ａは、第１カッター刃７１で切断された直後のレシート用紙Ｒの周辺の側面図である。図１２Ａにおいて、レシート用紙Ｒは第１カッター刃７１で切断された直後であるので、レシート用紙Ｒの先端は第１カッター刃７１の刃先位置と対応している。
【００７３】
また、排出口５０ａから第１カッター刃７１及び第２カッター刃７２までの距離それぞれは異なるので、説明の便宜上それぞれをｄ１及びｄ２、ｄ１＜ｄ２とする。さらに、排出口５０ａからサーマルヘッド５３までの距離をＤとする。
【００７４】
ここで、第１カッター刃７１からサーマルヘッド５３までの距離ＤＣ１、第２カッター刃７２からサーマルヘッド５３までの距離ＤＣ２とすると、ＤＣ１＝ｄ１＋Ｄ、ＤＣ２＝ｄ２＋Ｄであり、必然的にＤＣ１＜ＤＣ２である。
【００７５】
図１２Ｂは、印字に先立ち距離ＤＣ１だけ戻り方向に搬送されたレシート用紙Ｒの周辺の側面図である。図１２Ｂにおいて、印字に先立ちレシート用紙Ｒを戻り方向に搬送する距離は、距離の短いＤＣ１に設定されている。なぜなら、第１カッター刃７１で切断された後に距離ＤＣ１より長い距離ＤＣ２も戻してしまうと、レシート紙Ｒの先端がサーマルヘッド５３よりも上流側に到達してしまい、印字データの先頭部分が記載されない事態となるからである。
【００７６】
図１２Ｃは、印字が行われ印字領域の分だけ搬送されたときのレシート用紙Ｒの周辺の側面図である。図１２Ｃにおいて、印字が開始と同時にレシート用紙Ｒは印字速度に対応した速度で正方向に搬送され、予め設定されている印字領域分だけは正方向に進む。
【００７７】
印字後、レシート用紙Ｒを排出のために正方向に進めるときは、サーマルヘッド５３から第２カッター刃７２までの距離ＤＣ２だけ搬送しなければならない。なぜなら、印字されたレシート用紙Ｒが第１カッター刃７１及び第２カッター刃７２のどちらで切断されても、印字領域が切断されないようにするためである。
【００７８】
図１２Ｄは、距離ＤＣ２だけ正方向に搬送されたレシート用紙Ｒの周辺の側面図である。図１２Ｄにおいて、距離ＤＣ２だけ正方向に搬送された結果、印字領域の端は第２カッター刃７２の刃先位置と対応している。
【００７９】
例えば、サーマルヘッド５３から第１カッター刃７１までの距離ＤＣ１だけしか搬送しなかった場合は、印字領域の端が第１カッター刃７１の位置と一致し、第２カッター刃７２には到達しておらず、仮に第２カッター刃７２で切断されると印字領域が途中で切断されてしまうことになる。これを防止するため、印字装置５０では、図１２Ａ〜図１２Ｄに示す手順でレシート用紙Ｒの搬送が行われる。
【００８０】
したがって、前回切断の刃が第１カッター刃７１で今回切断の刃が第１カッター刃７１の場合（図５Ａにおける第１切断条件）では、図６Ａに示すように切断後のレシート用紙Ｒの後端にのみ余白が存在する。そして、前回切断の刃が第１カッター刃７１で今回切断の刃が第２カッター刃７２の場合（図５Ｃにおける第３切断条件）では、図６Ｃに示すように切断後のレシート用紙Ｒの前後両端に余白が存在しない。
【００８１】
図１３Ａは、第２カッター刃７２で切断された直後のレシート用紙Ｒの周辺の側面図である。図１３Ａにおいて、第２カッター刃７２で切断された直後であるので、レシート用紙Ｒの先端は第２カッター刃７２の刃先位置と対応している。
【００８２】
図１３Ｂは、印字に先立ち距離ＤＣ１だけ戻り方向に搬送されたレシート用紙Ｒの周辺の側面図である。図１３Ｂにおいて、距離ＤＣ１だけ戻された結果、レシート用紙Ｒの先端がサーマルヘッド５３の印字開始位置よりも排出口５０ａ側に突出した状態になっている。その突出代は［ｄ２−ｄ１］に相当する。したがって、レシート用紙Ｒの前単に余白ができる。
【００８３】
図１３Ｃは、印字が行われ印字領域の分だけ搬送されたときのレシート用紙Ｒの周辺の側面図である。図１３Ｃにおいて、印字が開始と同時にレシート用紙Ｒは印字速度に対応した速度で正方向に搬送され、予め設定されている印字領域分だけは正方向に進む。
【００８４】
図１３Ｄは、距離ＤＣ２だけ正方向に搬送されたレシート用紙Ｒの周辺の側面図である。図１３Ｄにおいて、距離ＤＣ２だけ正方向に搬送された結果、印字領域の後端は第２カッター刃７２の刃先位置と対応している。
【００８５】
この状態で、レシート用紙Ｒが第１カッター刃７１で切断されると、切断後のレシート用紙Ｒの後端には余白ができ、その結果、レシート用紙Ｒの前後両端に余白が形成される。逆に、レシート用紙Ｒが第２カッター刃７２で切断されると、切断後のレシート用紙Ｒの後端には余白ができず、その結果、レシート用紙Ｒの前端にのみ余白が存在する。
【００８６】
したがって、前回切断の刃が第２カッター刃７２で今回切断の刃が第１カッター刃７１の場合（図５Ｄにおける第４切断条件）では、図６Ｄに示すように切断後のレシート用紙Ｒの前後両端に余白が存在する。そして、前回切断の刃が第２カッター刃７２で今回切断の刃が第２カッター刃７２の場合（図５Ｂにおける第２切断条件）では、図６Ｂに示すように切断後のレシート用紙Ｒの前端にのみ余白が存在する。
【産業上の利用可能性】
【００８７】
以上のように、本願発明は、何らかの被印字物を排出して、客にその被印字物を切断させる機器に有用である。
【符号の説明】
【００８８】
５０  印字装置
５０ａ  排出口(出口)
５１  印字機構（印字部）
５３  サーマルヘッド(印字部)
５５  プリテンロータ（印字部、搬送機構）
７１  第１カッター刃
７２  第２カッター刃
【先行技術文献】
【特許文献】
【００８９】
【特許文献１】特開２００３−０２８７０４号公報
【図１Ａ】
2014145726.tif 000003
【図１Ｂ】
2014145726.tif 000004
【図２】
2014145726.tif 000005
【図３】
2014145726.tif 000006
【図４】
2014145726.tif 000007
【図５Ａ】
2014145726.tif 000008
【図５Ｂ】
2014145726.tif 000009
【図５Ｃ】
2014145726.tif 000010
【図５Ｄ】
2014145726.tif 000011
【図６Ａ】
2014145726.tif 000012
【図６Ｂ】
2014145726.tif 000013
【図６Ｃ】
2014145726.tif 000014
【図６Ｄ】
2014145726.tif 000015
【図７Ａ】
2014145726.tif 000016
【図７Ｂ】
2014145726.tif 000017
【図８】
2014145726.tif 000018
【図９】
2014145726.tif 000019
【図１０Ａ】
2014145726.tif 000020
【図１０Ｂ】
2014145726.tif 000021
【図１０Ｃ】
2014145726.tif 000022
【図１０Ｄ】
2014145726.tif 000023
【図１１Ａ】
2014145726.tif 000024
【図１１Ｂ】
2014145726.tif 000025
【図１１Ｃ】
2014145726.tif 000026
【図１１Ｄ】
2014145726.tif 000027
【図１２Ａ】
2014145726.tif 000028
【図１２Ｂ】
2014145726.tif 000029
【図１２Ｃ】
2014145726.tif 000030
【図１２Ｄ】
2014145726.tif 000031
【図１３Ａ】
2014145726.tif 000032
【図１３Ｂ】
2014145726.tif 000033
【図１３Ｃ】
2014145726.tif 000034
【図１３Ｄ】
2014145726.tif 000035